(57)【要約】音声信号が存在しないときに発生する擬似雑音の聴感上のレベルを改善した携帯電話機を提供する。この携帯電話機において、ベースバンド信号ｉｎに含まれるフレームタイプ情報がフレームタイプ識別部７１で識別され、同フレームタイプ情報が擬似雑音情報を表すとき、擬似雑音生成器内蔵ＡＭＲ（Ａｄａｐｔｉｖｅ  Ｍｕｌｔｉ−Ｒａｔｅ）デコーダ７２で生成された擬似雑音信号は、そのレベルが信号レベル変更量計算部７４及び信号レベル変更部７３で所定量低下されて受話部４３へ出力される一方、同フレームタイプ情報が音声信号を表すとき、擬似雑音生成器内蔵ＡＭＲデコーダ７２で復号化された同音声信号は、そのレベルが変更されることなく同受話部４３へ出力される。
2007049777.tif 000002
【特許請求の範囲】
【請求項１】
フレーム毎に当該フレームが音声信号であるか又は該音声信号が存在しない場合に対応する擬似雑音情報であるかを表すフレームタイプ情報を含む信号を受信する受信部と、該受信部で受信された前記信号に含まれる前記フレームタイプ情報が前記音声信号を表すとき、当該音声信号を復号化する一方、該フレームタイプ情報が前記擬似雑音情報を表すとき、該擬似雑音情報に対応した擬似雑音信号を生成するコーデック回路と、該コーデック回路で復号化された前記音声信号が入力されると、該音声信号に対応した音声を発生する一方、該コーデック回路で生成された前記擬似雑音信号が入力されると、該擬似雑音信号に対応した擬似雑音を発生する発音部とを有する携帯電話機であって、
前記コーデック回路は、
前記フレームタイプ情報が前記擬似雑音情報を表すとき、生成された前記擬似雑音信号を、そのレベルを所定量低下させて、前記発音部へ送出する一方、前記フレームタイプ情報が前記音声信号を表すとき、復号化された前記音声信号を、そのレベルを変更することなく、前記発音部へ送出する受話音量調整手段が設けられていることを特徴とする携帯電話機。
【請求項２】
前記受話音量調整手段は、
前記フレームタイプ情報に基づいて、当該フレームが前記音声信号か前記擬似雑音情報かを識別するフレームタイプ識別部と、
該フレームタイプ識別部による当該フレームの識別結果が前記擬似雑音情報を示すとき、前記擬似雑音信号のレベルを所定量低下させるための信号レベル制御信号を生成する一方、該識別結果が前記音声信号を示すとき、前記音声信号のレベルをそのまま維持させるための前記信号レベル制御信号を生成する信号レベル変更量計算部と、
該信号レベル変更量計算部で生成された前記信号レベル制御信号に基づいて前記擬似雑音信号又は前記音声信号のレベルを制御して前記発音部へ送出する信号レベル変更部とから構成されていることを特徴とする請求項１記載の携帯電話機。
【請求項３】
前記信号レベル変更量計算部は、
前記フレームタイプ識別部による当該フレームの識別結果が前記擬似雑音情報を示すとき、前記擬似雑音信号のレベルを最大で６［ｄＢ］低下させるための前記信号レベル制御信号を生成する構成とされていることを特徴とする請求項２記載の携帯電話機。
【請求項４】
前記信号レベル変更量計算部は、
前記擬似雑音信号のレベルを段階的に低下させるための前記信号レベル制御信号を生成する構成とされていることを特徴とする請求項３記載の携帯電話機。
【請求項５】
前記信号レベル変更量計算部は、
前記擬似雑音信号のレベルを等差級数的に低下させるための前記信号レベル制御信号を
生成する構成とされていることを特徴とする請求項４記載の携帯電話機。
【請求項６】
前記信号レベル変更量計算部は、
前記擬似雑音信号のレベルを等比級数的に低下させるための前記信号レベル制御信号を生成する構成とされていることを特徴とする請求項４記載の携帯電話機。
【請求項７】
フレーム毎に当該フレームが音声信号であるか又は該音声信号が存在しない場合に対応する擬似雑音情報であるかを表すフレームタイプ情報を含む信号を受信する受信部と、発音部とを有する携帯電話機に用いられ、受信された前記信号に含まれる前記フレームタイプ情報が前記音声信号を表すとき、当該音声信号を復号化して前記発音部へ送出する一方、該フレームタイプ情報が前記擬似雑音情報を表すとき、該擬似雑音情報に対応した擬似雑音信号を生成して前記発音部へ送出するコーデック回路であって、
前記フレームタイプ情報が前記擬似雑音情報を表すとき、生成された前記擬似雑音信号を、そのレベルを所定量低下させて、前記発音部へ送出する一方、前記フレームタイプ情報が前記音声信号を表すとき、復号化された前記音声信号を、そのレベルを変更することなく、前記発音部へ送出する受話音量調整手段が設けられていることを特徴とするコーデック回路。
【請求項８】
フレーム毎に当該フレームが音声信号であるか又は該音声信号が存在しない場合に対応する擬似雑音情報であるかを表すフレームタイプ情報を含む信号を受信する受信部と、該受信部で受信された前記信号に含まれる前記フレームタイプ情報が前記音声信号を表すとき、当該音声信号を復号化する一方、該フレームタイプ情報が前記擬似雑音情報を表すとき、該擬似雑音情報に対応した擬似雑音信号を生成するコーデック回路と、該コーデック回路で復号化された前記音声信号が入力されると、該音声信号に対応した音声を発生する一方、該コーデック回路で生成された前記擬似雑音信号が入力されると、該擬似雑音信号に対応した擬似雑音を発生する発音部とを有する携帯電話機に用いられ、前記フレームタイプ情報が前記擬似雑音情報を表すとき、生成された前記擬似雑音信号を、そのレベルを所定量低下させて、前記発音部へ送出する一方、前記フレームタイプ情報が前記音声信号を表すとき、復号化された前記音声信号を、そのレベルを変更することなく、前記発音部へ送出することを特徴とする受話音量自動調整方法。
【発明の詳細な説明】
【技術分野】
【０００１】
この発明は、携帯電話機、該携帯電話機に用いられるコーデック回路及び受話音量自動調整方法に係り、たとえば３ＧＰＰ（３ｒｄ  Ｇｅｎｅｒａｔｉｏｎ  Ｐａｒｔｎｅｒｓｈｉｐ  Ｐｒｏｊｅｃｔ）規格などに準拠した携帯電話機からフレーム単位で送信される信号を受信する場合に用いて好適な携帯電話機、該携帯電話機に用いられるコーデック回路及び受話音量自動調整方法に関する。
【背景技術】
【０００２】
携帯電話機で多く使用されている音声圧縮符号化方式の１つであるＡＭＲ（Ａｄａｐｔｉｖｅ  Ｍｕｌｔｉ−Ｒａｔｅ）によるコーデックでは、送信側で音声信号が存在しない場合、同音声信号を受信側に送信せずに、同音声信号よりもデータ量の少ない擬似雑音情報を送信することにより、携帯電話機の通話時の消費電力が低減されるようになっている。この場合、受信側では、受信した擬似雑音情報を用いて擬似雑音を生成して受話部（スピーカ）から出力することで、通話の断絶感が緩和されるようになっている。
図７は、この種の携帯電話機の要部の電気的構成を示すブロック図である。
この携帯電話機１は、同図７に示すように、上側ユニット１０と下側ユニット２０とからなる折り畳み式の筐体を有している。上側ユニット１０には、表示部１１と、アンテナ１２と、受話部（スピーカ）１３と、着信／充電ランプ１４と、マグネット１５とが収容されている。アンテナ１２は、図示しない無線基地局との間で電波を送受信する。この電波には、図示しない送信側の携帯電話機から送信された信号が含まれている。この信号は、ＡＭＲ方式で符号化され、１フレーム中に当該フレームが音声信号か同音声信号が存在しない場合に対応する擬似雑音情報かを表すフレームタイプ情報が含まれている。表示部１１は、たとえばＬＣＤ（Ｌｉｑｕｉｄ  Ｃｒｙｓｔａｌ  Ｄｉｓｐｌａｙ）などで構成され、相手先の電話番号情報やアイコン情報など、諸々の情報を表示する。受話部１３は、送信相手の音声を発生して利用者に伝達する。着信／充電ランプ１４は、電話がかかってきたときには青色で点滅し、充電中には赤色で点灯する。マグネット１５は、上側ユニット１０と下側ユニット２０とが閉状態になったときに同下側ユニット２０に対して磁気を放射する。
下側ユニット２０には、操作部２１と、マイクロホン２２と、ＲＦ回路２３と、変復調回路２４と、ベースバンド処理回路２５と、コーデック回路２６と、磁気センサ２７と、記憶部２８と、制御部３０とが収容されている。操作部２１は、送信ボタン、英字／カナ／漢字／数字の変換ボタン、電源のオン／オフボタン、カーソル操作を行うための十文字ボタン、及び終了ボタンなどから構成されている。マイクロホン２２は、利用者の音声を受けて送話を行う。ＲＦ回路２３は、図示しない受信回路、送信回路及び周波数シンセサイザを有している。
変復調回路２４は、受信電波の復調、及び送信電波の変調を行う。ベースバンド処理回路２５は、変復調回路２４から出力される復調信号より元のベースバンド信号を取り出してコーデック回路２６へ供給すると共に、同復調信号よりキャラクタデータを取り出して制御部３０へ供給する。コーデック回路２６は、ベースバンド処理回路２５から出力されるベースバンド信号をデジタル／アナログ変換（以下、「Ｄ／Ａ変換」という）して受話部１４へ供給すると共に、制御部３０の出力信号をＤ／Ａ変換する。磁気センサ２７は、たとえばホール素子などで構成され、上側ユニット１０と下側ユニット２０とが開状態になり、マグネット１５の磁気が放射されなくなったとき、磁気検出信号Ｍを発生する。記憶部２８は、制御部３０を動作させるための制御プログラムや、表示部１１に表示するためのデータなどを記憶する。制御部３０は、たとえばＣＰＵ（中央処理装置）などで構成され、開状態検出部３１と、回線制御部３２と、表示制御部３３とを備え、携帯電話機１全体を制御する。開状態検出部３１は、上側ユニット１０と下側ユニット２０とが開状態になったとき、磁気センサ２７の磁気検出信号Ｍを検出して開状態検出信号Ｎを発生する。表示制御部３３は、たとえばＬＣＤドライバなどで構成され、表示部１１を駆動する。
図８は、図７中のコーデック回路２６の要部の電気的構成を示すブロック図である。
このコーデック回路２６は、擬似雑音生成器内蔵ＡＭＲデコーダ２６ａと、Ｄ／Ａ変換部２６ｂとを有している。擬似雑音生成器内蔵ＡＭＲデコーダ２６ａは、ベースバンド処理回路２５から出力されるベースバンド信号ｉｎに含まれる上記フレームタイプ情報が音声信号を表すとき、同音声信号を復号化して信号ｅとして出力する一方、同フレームタイプ情報が擬似雑音情報を表すとき、同擬似雑音情報に対応した擬似雑音信号を生成して信号ｅとして出力する。Ｄ／Ａ変換部２６ｂは、擬似雑音生成器内蔵ＡＭＲデコーダ２６ａからの信号ｅをＤ／Ａ変換して信号ｆとして受話部１３へ送出する。
上記の携帯電話機の他、従来、この種の技術としては、たとえば、次のような文献に記載されたものがある。
例えば、文献１に記載された音声符号化通信方式では、送信側が音声休止区間中に送信を停止している間、受信側で発生させた擬似雑音が送信側から送られてくる背景雑音と音質及びレベルが同程度となるため、聴感上の不具合が解消される。
文献１  特開平０５−０８３２０８号公報（第６頁、図１）
しかしながら、上記従来の携帯電話機では、次のような問題点があった。
すなわち、送信側の携帯電話機により、送信用の音声信号が存在しないと判定された瞬間から同送信側の擬似雑音のレベルが計算されるが、音声信号の存在するフレームが同音声信号が存在しないフレームとして誤判定されることがある。この場合、大きな擬似雑音のレベルが算出されるため、受信側の携帯電話機で生成される擬似雑音信号のレベルが必要以上に大きくなり、聴感上不自然な擬似雑音が発生するという問題点がある。一般に、擬似雑音のレベルは、ユーザに通話の断絶感を感じさせない範囲であれば、小さいほど良い。このため、送信側で算出された擬似雑音のレベルを受信側で忠実に再現する必要はない。
また、上記文献１に記載された音声符号化通信方式では、聴感上の不具合を解消する目的は類似しているが、受信側の擬似雑音を送信側の背景雑音と同程度とするものであり、構成が異なっている。
この発明は、上述の事情に鑑みてなされたもので、ユーザに通話の断絶感を感じさせない範囲の小レベルの擬似雑音を発生する携帯電話機、該携帯電話機に用いられるコーデック回路及び受話音量自動調整方法を提供することを目的としている。
【発明の開示】
【０００３】
上記課題を解決するために、請求項１記載の発明は、フレーム毎に当該フレームが音声信号であるか又は該音声信号が存在しない場合に対応する擬似雑音情報であるかを表すフレームタイプ情報を含む信号を受信する受信部と、該受信部で受信された前記信号に含まれる前記フレームタイプ情報が前記音声信号を表すとき、当該音声信号を復号化する一方、該フレームタイプ情報が前記擬似雑音情報を表すとき、該擬似雑音情報に対応した擬似雑音信号を生成するコーデック回路と、該コーデック回路で復号化された前記音声信号が入力されると、該音声信号に対応した音声を発生する一方、該コーデック回路で生成された前記擬似雑音信号が入力されると、該擬似雑音信号に対応した擬似雑音を発生する発音部とを有する携帯電話機に係り、前記コーデック回路は、前記フレームタイプ情報が前記擬似雑音情報を表すとき、生成された前記擬似雑音信号を、そのレベルを所定量低下させて、前記発音部へ送出する一方、前記フレームタイプ情報が前記音声信号を表すとき、復号化された前記音声信号を、そのレベルを変更することなく、前記発音部へ送出する受話音量調整手段が設けられていることを特徴としている。
請求項２記載の発明は、請求項１記載の携帯電話機に係り、前記受話音量調整手段は、前記フレームタイプ情報に基づいて、当該フレームが前記音声信号か前記擬似雑音情報かを識別するフレームタイプ識別部と、該フレームタイプ識別部による当該フレームの識別結果が前記擬似雑音情報を示すとき、前記擬似雑音信号のレベルを所定量低下させるための信号レベル制御信号を生成する一方、該識別結果が前記音声信号を示すとき、前記音声信号のレベルをそのまま維持させるための前記信号レベル制御信号を生成する信号レベル変更量計算部と、該信号レベル変更量計算部で生成された前記信号レベル制御信号に基づいて前記擬似雑音信号又は前記音声信号のレベルを制御して前記発音部へ送出する信号レベル変更部とから構成されていることを特徴としている。
請求項３記載の発明は、請求項２記載の携帯電話機に係り、前記信号レベル変更量計算部は、前記フレームタイプ識別部による当該フレームの識別結果が前記擬似雑音情報を示すとき、前記擬似雑音信号のレベルを最大で６［ｄＢ］低下させるための前記信号レベル制御信号を生成する構成とされていることを特徴としている。
請求項４記載の発明は、請求項３記載の携帯電話機に係り、前記信号レベル変更量計算部は、前記擬似雑音信号のレベルを段階的に低下させるための前記信号レベル制御信号を生成する構成とされていることを特徴としている。
請求項５記載の発明は、請求項４記載の携帯電話機に係り、前記信号レベル変更量計算部は、前記擬似雑音信号のレベルを等差級数的に低下させるための前記信号レベル制御信号を生成する構成とされていることを特徴としている。
請求項６記載の発明は、請求項４記載の携帯電話機に係り、前記信号レベル変更量計算部は、前記擬似雑音信号のレベルを等比級数的に低下させるための前記信号レベル制御信号を生成する構成とされていることを特徴としている。
請求項７記載の発明は、フレーム毎に当該フレームが音声信号であるか又は該音声信号が存在しない場合に対応する擬似雑音情報であるかを表すフレームタイプ情報を含む信号を受信する受信部と、発音部とを有する携帯電話機に用いられ、受信された前記信号に含まれる前記フレームタイプ情報が前記音声信号を表すとき、当該音声信号を復号化して前記発音部へ送出する一方、該フレームタイプ情報が前記擬似雑音情報を表すとき、該擬似雑音情報に対応した擬似雑音信号を生成して前記発音部へ送出するコーデック回路に係り、前記フレームタイプ情報が前記擬似雑音情報を表すとき、生成された前記擬似雑音信号を、そのレベルを所定量低下させて、前記発音部へ送出する一方、前記フレームタイプ情報が前記音声信号を表すとき、復号化された前記音声信号を、そのレベルを変更することなく、前記発音部へ送出する受話音量調整手段が設けられていることを特徴としている。
請求項８記載の発明は、受話音量自動調整方法に係り、フレーム毎に当該フレームが音声信号であるか又は該音声信号が存在しない場合に対応する擬似雑音情報であるかを表す
フレームタイプ情報を含む信号を受信する受信部と、該受信部で受信された前記信号に含まれる前記フレームタイプ情報が前記音声信号を表すとき、当該音声信号を復号化する一方、該フレームタイプ情報が前記擬似雑音情報を表すとき、該擬似雑音情報に対応した擬似雑音信号を生成するコーデック回路と、該コーデック回路で復号化された前記音声信号が入力されると、該音声信号に対応した音声を発生する一方、該コーデック回路で生成された前記擬似雑音信号が入力されると、該擬似雑音信号に対応した擬似雑音を発生する発音部とを有する携帯電話機に用いられ、前記フレームタイプ情報が前記擬似雑音情報を表すとき、生成された前記擬似雑音信号を、そのレベルを所定量低下させて、前記発音部へ送出する一方、前記フレームタイプ情報が前記音声信号を表すとき、復号化された前記音声信号を、そのレベルを変更することなく、前記発音部へ送出することを特徴としている。
この発明の構成によれば、コーデック回路の受話音量調整手段により、フレームタイプ情報が擬似雑音情報を表すとき、生成された擬似雑音信号が、そのレベルが所定量低下されて発音部へ出力される一方、同フレームタイプ情報が音声信号を表すとき、復号化された同音声信号が、そのレベルが変更されることなく同発音部へ送出されるので、背景の雑音レベルを抑圧できると共に、語頭途切れなどの通話音質の劣化を回避でき、通話音質を向上できる。また、フレームタイプ情報が擬似雑音情報を表すとき、生成された擬似雑音信号が、そのレベルが最大で６［ｄＢ］低下して発音部へ送出されるので、通信の断絶感を回避すると共に聴感上自然な擬似雑音を発生させることができる。また、フレームタイプ情報が擬似雑音情報を表すとき、生成された擬似雑音信号が、そのレベルが等差級数的に低下して発音部へ送出されるので、急激な信号レベル変動に伴う受話者の違和感を改善できる。また、フレームタイプ情報が擬似雑音情報を表すとき、生成された擬似雑音信号が、そのレベルが等比級数的に低下して発音部へ送出されるので、急激な信号レベル変動に伴う受話者の違和感を改善できる。
【図面の簡単な説明】
【０００４】
図１は、この発明の一実施例である携帯電話機の要部の電気的構成を示すブロック図である。
図２は、図１中のコーデック回路５６の要部の電気的構成を示すブロック図である。
図３は、ＡＭＲ符号化データの構成を示す図である。
図４は、コーデック回路５６の動作を説明するフローチャートである。
図５は、コーデック回路５６の動作を説明するフローチャートである。
図６は、コーデック回路５６の動作を説明するフローチャートである。
図７は、従来の携帯電話機の要部の電気的構成を示すブロック図である。
図８は、図７中のコーデック回路２６の要部の電気的構成を示すブロック図である。
４２：アンテナ（受信部の一部）、４３：受話部（スピーカ、発音部）
５３：ＲＦ回路（受信部の一部）、５４：変復調回路（受信部の一部）
５５：ベースバンド処理回路（受信部の一部）、５６：コーデック回路
７１：フレームタイプ識別部（受話音量調整手段の一部）
７２：擬似雑音生成器内蔵ＡＭＲデコーダ（受話音量調整手段の一部）
７３：信号レベル変更部（受話音量調整手段の一部）
７４：信号レベル変更量計算部（受話音量調整手段の一部）
７５：Ｄ／Ａ変換部（受話音量調整手段の一部）
ａ：フレームタイプ情報
【発明を実施するための最良の形態】
【０００５】
フレームタイプ情報が擬似雑音情報を表すとき、生成された擬似雑音信号が、そのレベルが所定量低下されて受話部へ出力される携帯電話機、該携帯電話機に用いられるコーデック回路及び受話音量自動調整方法を提供する。
【実施例】
【０００６】
図１は、この発明の一実施例である携帯電話機の要部の電気的構成を示すブロック図である。
この例の携帯電話機３９は、同図に示すように、上側ユニット４０と下側ユニット５０とからなる折り畳み式の筐体を有している。上側ユニット４０には、表示部４１と、アンテナ４２と、受話部（スピーカ）４３と、着信／充電ランプ４４と、マグネット４５とが収容されている。アンテナ４２は、図示しない無線基地局との間で電波を送受信する。この電波には、図示しない送信側の携帯電話機から送信された信号が含まれている。この信号は、送信側の携帯電話機によりＡＭＲ方式で符号化され、１フレーム中に当該フレームが音声信号であるか又は同音声信号が存在しない場合に対応した擬似雑音情報であるかを表すフレームタイプ情報が含まれている。表示部４１は、たとえばＬＣＤなどで構成され、相手先の電話番号情報やアイコン情報など、諸々の情報を表示する。受話部４３は、送信相手の音声を発生して利用者に伝達する。着信／充電ランプ４４は、電話がかかってきたときには青色で点滅し、充電中には赤色で点灯する。マグネット４５は、上側ユニット４０と下側ユニット５０とが閉状態になったときに同下側ユニット４０に対して磁気を放射する。
下側ユニット５０には、操作部５１と、マイクロホン５２と、ＲＦ回路５３と、変復調回路５４と、ベースバンド処理回路５５と、コーデック回路５６と、磁気センサ５７と、記憶部５８と、制御部６０とが収容されている。操作部５１は、送信ボタン、英字／カナ／漢字／数字の変換ボタン、電源のオン／オフボタン、カーソル操作を行うための十文字ボタン、及び終了ボタンなどから構成されている。マイクロホン５２は、利用者の音声を受けて送話を行う。ＲＦ回路５３は、図示しない受信回路、送信回路及び周波数シンセサイザを有している。
変復調回路５４は、受信電波の復調、及び送信電波の変調を行う。ベースバンド処理回路５５は、変復調回路５４から出力される復調信号より元のベースバンド信号を取り出してコーデック回路５６へ供給すると共に、同復調信号よりキャラクタデータを取り出して制御部６０へ供給する。コーデック回路５６は、ベースバンド処理回路５５からのベースバンド信号に含まれる上記フレームタイプ情報が音声信号を表すとき、当該音声信号を復号化する一方、同フレームタイプ情報が上記擬似雑音情報を表すとき、同擬似雑音情報に対応した擬似雑音信号を生成し、Ｄ／Ａ変換して受話部４４へ供給すると共に、制御部６０の出力信号をＤ／Ａ変換する。特に、この実施例では、コーデック回路５６は、上記フレームタイプ情報が上記擬似雑音情報を表すとき、生成された上記擬似雑音信号を、そのレベルを所定量低下させて受話部４３へ出力する一方、同フレームタイプ情報が上記音声信号を表すとき、復号化された同音声信号を、そのレベルを変更することなく同受話部４３へ送出する。
磁気センサ５７は、たとえばホール素子などで構成され、上側ユニット４０と下側ユニット５０とが開状態になり、マグネット４５の磁気が放射されなくなったとき、磁気検出信号Ｍを発生する。記憶部５８は、制御部６０を動作させるための制御プログラムや、表示部１１に表示するためのデータなどを記憶する。制御部６０は、たとえばＣＰＵなどで構成され、開状態検出部６１と、回線制御部６２と、表示制御部６３とを備え、携帯電話機３９全体を制御する。開状態検出部６１は、上側ユニット４０と下側ユニット５０とが開状態になったとき、磁気センサ５７の磁気検出信号Ｍを検出して開状態検出信号Ｎを発生する。表示制御部６３は、たとえばＬＣＤドライバなどで構成され、表示部４１を駆動する。
図２は、図１中のコーデック回路５６の要部の電気的構成を示すブロック図である。
このコーデック回路５６は、同図２に示すように、フレームタイプ識別部７１と、擬似雑音生成器内蔵ＡＭＲデコーダ７２と、信号レベル変更部７３と、信号レベル変更量計算部７４と、Ｄ／Ａ変換部７５とから構成されている。フレームタイプ識別部７１は、ベースバンド処理回路５５から出力されるベースバンド信号ｉｎに含まれるフレームタイプ情報に基づいて、当該フレームが音声信号か擬似雑音情報かを識別して識別結果ｈを生成すると共に、同ベースバンド信号ｉｎを、そのままベースバンド信号ｇとして出力する。擬似雑音生成器内蔵ＡＭＲデコーダ７２は、フレームタイプ識別部７１から出力されるベースバンド信号ｇに含まれる上記フレームタイプ情報が音声信号を表すとき、同音声信号を復号化して信号ｅとして出力する一方、同フレームタイプ情報が擬似雑音情報を表すとき、同擬似雑音情報に対応した擬似雑音信号を生成して信号ｅとして出力する。
信号レベル変更量計算部７４は、フレームタイプ識別部７１による当該フレームの識別結果ｈが上記擬似雑音情報を示すとき、上記擬似雑音信号のレベルを所定量低下させるための信号レベル制御信号ｊを生成する一方、同識別結果ｈが上記音声信号を示すとき、同音声信号のレベルをそのまま維持させるための同信号レベル制御信号ｊを生成する。特に、この実施例では、信号レベル変更量計算部７４は、フレームタイプ識別部７１による当該フレームの識別結果ｈが上記擬似雑音情報を示すとき、上記擬似雑音信号のレベルを最大で６［ｄＢ］低下させるための信号レベル制御信号ｊを生成する。また、信号レベル変更量計算部７４は、上記擬似雑音信号のレベルを段階的（たとえば、等差級数的、又は等比級数的）に低下させるための信号レベル制御信号ｊを生成する。信号レベル変更部７３は、信号レベル変更量計算部７４で生成された信号レベル制御信号ｊに基づいて上記擬似雑音信号又は上記音声信号のレベルを制御して信号ｋとして出力する。Ｄ／Ａ変換部７５は、信号レベル変更部７３からの信号ｋをＤ／Ａ変換して信号ｆとして受話部４３へ送出する。
図３は、ＡＭＲ符号化データの構成を示す図であり、同図（ａ）は１フレームの構成、及び同図（ｂ）が同図（ａ）中のフレームタイプ情報の内容を示す図である。
また、図４、図５及び図６が、コーデック回路５６の動作を説明するフローチャートである。
これらの図を参照して、この例の携帯電話機に用いられる受話音量自動調整方法の処理内容について説明する。
この携帯電話機では、ベースバンド処理回路５５から出力されるベースバンド信号ｉｎに含まれるフレームタイプ情報がフレームタイプ識別部７１で識別され、同フレームタイプ情報が擬似雑音情報を表すとき、擬似雑音生成器内蔵ＡＭＲデコーダ７２で生成された擬似雑音信号は、そのレベルが信号レベル変更量計算部７４及び信号レベル変更部７３で所定量低下されて受話部４３へ出力される一方、同フレームタイプ情報が音声信号を表すとき、擬似雑音生成器内蔵ＡＭＲデコーダ７２で復号化された同音声信号は、そのレベルが変更されることなく同受話部４３へ出力される。
すなわち、図４に示すように、フレームタイプ識別部７１により、フレームタイプ情報（ＦＴ）が取得される（ステップＡ１）。フレームタイプ情報（ＦＴ）とは、送信側の携帯電話機から送られてくるＡＭＲ符号化データに含まれている情報である。ＡＭＲ符号化データは、図３（ａ）に示す様に、フレームタイプ情報ａ、ＡＭＲ補助情報ｂ、及びＡＭＲコアフレームｃで構成されている。このデータ構造は、ＡＭＲコーデックフレームフォーマット１と呼称され、国際規格団体である３ＧＰＰ（３ｒｄ  Ｇｅｎｅｒａｔｉｏｎ  Ｐａｒｔｎｅｒｓｈｉｐ  Ｐｒｏｊｅｃｔ）により規格化されている。この３ＧＰＰは、第３世代移動体通信の標準のうち、北米方式（ＣＤＭＡ２０００）をベースとするＭＣ−ＣＤＭＡ関連の標準化作業を進めるグループである。ＡＭＲ符号化データは、３ＧＰＰにより、送信側から２０［ｍｓ］単位で送信されるように規格化されている。ＡＭＲコアフレームｃには、符号化された音声データや擬似雑音情報が含まれている。ＡＭＲ補助情報ｂには、他のデータが含まれている。フレームタイプ情報ａは、図３（ｂ）に示すように、“０”乃至“１５”の各数字に対応したフレームタイプ情報の内容からなっている。これらの対応関係も、３ＧＰＰにより規格化されている。
次に、フレームタイプ識別部７１により、フレームタイプ情報が“８”以上であるか否かが識別され、識別結果ｈが信号レベル変更量計算部７４へ送出される（ステップＡ２）。この場合、フレームタイプ情報が“８”以上（すなわち、擬似雑音情報）のとき、信号レベル変更量計算部７４から信号レベル制御信号ｊが信号レベル変更部７３に送出され、信号レベル変更量が−６［ｄＢ］に設定される（ステップＡ３）。また、ステップＡ２において、フレームタイプ情報が“７”以下（すなわち、音声信号）のとき、信号レベル変更量計算部７４から信号レベル制御信号ｊが信号レベル変更部７３に送出され、信号レベル変更量が０［ｄＢ］に設定される（ステップＡ４）。
次に、擬似雑音生成器内蔵ＡＭＲデコーダ７２では、フレームタイプ識別部７１から出力されるベースバンド信号ｇに含まれるフレームタイプ情報が音声信号を表すとき、同音声信号が復号化されて信号ｅとして出力される。また、同フレームタイプ情報が擬似雑音情報を表すとき、同擬似雑音情報に対応した擬似雑音信号が生成されて信号ｅとして出力される（ステップＡ５）。音声信号が復号化された信号ｅは、信号レベル変更部７３により、信号レベル制御信号ｊに基づいて同音声信号のレベルがそのまま維持されて信号ｋとして出力される。また、擬似雑音信号からなる信号ｅは、信号レベル変更部７３により、信号レベル制御信号ｊに基づいて同擬似雑音信号のレベルが６［ｄＢ］低下して信号ｋとして出力される（ステップＡ６）。信号ｋは、Ｄ／Ａ変換部７５によりＤ／Ａ変換されて信号ｆとして受話部４３へ送出される（ステップＡ７）。この後、ステップＡ１に戻り、次の符号化データに対して同様の処理が行われる。
このように、ＡＭＲ符号化データが復号化される前に、同ＡＭＲ符号化データに含まれるフレームタイプ情報から同ＡＭＲ符号化データの内容が擬似雑音情報か音声信号かが判断され、同フレームタイプ情報が擬似雑音情報を表すとき、生成された擬似雑音信号は、そのレベルが６［ｄＢ］低下されて受話部４３へ出力される一方、同フレームタイプ情報が音声信号を表すとき、復号化された同音声信号は、そのレベルが変更されることなく同受話部４３へ出力されるので、背景の雑音レベルが抑圧されると共に、語頭途切れなどの通話音質の劣化が回避され、通話音質が向上する。
また、信号レベル変更量計算部７４が擬似雑音信号のレベルを等差級数的に低下させるための信号レベル制御信号ｊを生成する場合、図５に示すように、同信号レベル変更量計算部７４における信号レベル変更量Ｇが、Ｇ＝１．０に設定される（ステップＡ１）。次に、フレームタイプ識別部７１により、フレームタイプ情報（ＦＴ）が取得される（ステップＡ２）。次に、フレームタイプ識別部７１により、フレームタイプ情報が“８”以上であるか否かが識別され、識別結果ｈが信号レベル変更量計算部７４へ送出される（ステップＡ３）。この場合、フレームタイプ情報が“８”以上（すなわち、擬似雑音情報）のとき、信号レベル変更量計算部７４から信号レベル制御信号ｊが信号レベル変更部７３に送出され、信号レベル変更量Ｇが、Ｇ＝Ｇ−０．１に設定される（ステップＡ４）。
次に、信号レベル変更量計算部７４により、信号レベル変更量Ｇが０．５未満になっていないか否かが確認される（ステップＡ５）。信号レベル変更量Ｇが０．５未満になっている場合、同信号レベル変更量ＧをＧ＝０．５（＝−６［ｄＢ］）とするように、信号レベル制御信号ｊが信号レベル変更部７３に送出される（ステップＡ６）。また、ステップＡ３において、フレームタイプ情報が“７”以下（すなわち、音声信号）のとき、信号レベル変更量計算部７４から信号レベル制御信号ｊが信号レベル変更部７３に送出され、信号レベル変更量ＧがＧ＝Ｇ＋０．１に設定される（ステップＡ７）。次に、信号レベル変更量計算部７４により、信号レベル変更量Ｇが１．０を超えていないか否かが確認される（ステップＡ８）。信号レベル変更量Ｇが１．０を超えている場合、信号レベル変更量ＧがＧ＝１．０（＝０［ｄＢ］）となるように、信号レベル制御信号ｊが信号レベル変更部７３に送出される（ステップＡ９）。
次に、擬似雑音生成器内蔵ＡＭＲデコーダ７２では、フレームタイプ識別部７１から出力されるベースバンド信号ｇに含まれるフレームタイプ情報が音声信号を表すとき、同音声信号が復号化されて信号ｅとして出力される。また、同フレームタイプ情報が擬似雑音情報を表すとき、同擬似雑音情報に対応した擬似雑音信号が生成されて信号ｅとして出力される（ステップＡ１０）。音声信号が復号化された信号ｅは、信号レベル変更部７３により、信号レベル制御信号ｊに基づいて同音声信号のレベルがそのまま維持されて信号ｋとして出力される。また、擬似雑音信号からなる信号ｅは、信号レベル変更部７３により、信号レベル制御信号ｊに基づいて同擬似雑音信号のレベルが等差級数的に低下して信号ｋとして出力される（ステップＡ１１）。信号ｋは、Ｄ／Ａ変換部７５によりＤ／Ａ変換されて信号ｆとして受話部４３へ送出される（ステップＡ１２）。この後、ステップＡ１に戻り、次の符号化データに対して同様の処理が行われる。
このように、フレームタイプ情報が擬似雑音情報を表すとき、生成された擬似雑音信号は、そのレベルが等差級数的に低下して受話部４３へ出力されるので、急激な信号レベル変動に伴う受話者の違和感が改善される。
また、信号レベル変更量計算部７４が擬似雑音信号のレベルを等差級数的に低下させるための信号レベル制御信号ｊを生成する場合、図６に示すように、ステップＡ４において、信号レベル変更量計算部７４から信号レベル制御信号ｊが信号レベル変更部７３に送出され、信号レベル変更量Ｇが、Ｇ＝Ｇ×０．９に設定される。また、ステップＡ７において、信号レベル変更量計算部７４から信号レベル制御信号ｊが信号レベル変更部７３に送出され、信号レベル変更量ＧがＧ＝Ｇ×０．１に設定される。他は、図５と同様の処理が行われる。このように、フレームタイプ情報が擬似雑音情報を表すとき、生成された擬似雑音信号は、そのレベルが等比級数的に低下して受話部４３へ出力されるので、急激な信号レベル変動に伴う受話者の違和感が改善される。
以上、この発明の実施例を図面により詳述してきたが、具体的な構成は同実施例に限られるものではなく、この発明の要旨を逸脱しない範囲の設計の変更などがあっても、この発明に含まれる。
たとえば、図４中のステップＡ３では、信号レベル変更量が−６［ｄＢ］となっているが、必ずしも−６［ｄＢ］である必要はなく、通信の断絶感をより緩和するために、より少ない変更量にしても良い。ただし、通信の断絶感を回避すると共に聴感上自然な擬似雑音を発生させるために、最大変更量は−６［ｄＢ］にすることが望ましい。また、図５中のステップＡ４では、信号レベル変更量Ｇの各変動量が０．１となっているが、必ずしも０．１である必要はない。図５中のステップＡ５では、信号レベル変更量の最大値が０．５となっているが、必ずしも０．５である必要はなく、ステップＡ６で指定する変更量もステップＡ５で決めた最大値と一致していれば、任意の数値で良い。図５中のステップＡ７では、信号レベル変更量の各変動量が０．１となっているが、必ずしも０．１である必要はない。
図６中のステップＡ４では、信号レベル変更量Ｇの各変動量が０．９となっているが、必ずしも０．９である必要はない。図６中のステップＡ５では、信号レベル変更量Ｇの最大値が０．５となっているが、必ずしも０．５である必要はなく、ステップＡ６で指定する変更量も、ステップＡ５で決めた最大値と一致していれば、任意の数値で良い。図６中のステップＡ７では、信号レベル変更量Ｇの各変動量が１．１となっているが、必ずしも１．１である必要はない。また、図１の携帯電話機３９の構成は、コーデック回路５６の機能を有するものであれば、他の構成でも良い。
【産業上の利用可能性】
【０００７】
この発明は、送信側の携帯電話機からフレーム毎に当該フレームが音声信号であるか又は同音声信号が存在しない場合に対応する擬似雑音情報であるかを表すフレームタイプ情報を含む信号を受信し、同送信側からの音声信号が存在しないときに擬似雑音が発生するコーデックを有する携帯電話機全般に適用することができる。
【図１】
2007049777.tif 000003
【図２】
2007049777.tif 000004
【図３】
2007049777.tif 000005
【図４】
2007049777.tif 000006
【図５】
2007049777.tif 000007
【図６】
2007049777.tif 000008
【図７】
2007049777.tif 000009
【図８】
2007049777.tif 000010
【国際調査報告】
2007049777.tif 000011
2007049777.tif 000012